(57)【特許請求の範囲】
【請求項１】
内視鏡の鉗子チャンネルに挿通されるシャフトの先端に開閉自在に設けられた把持部材を上記シャフトの基端側に設けられた操作部からの遠隔操作によって開閉操作するようにした内視鏡用把持鉗子において、
先側に開口する複数の切れ目を有する筒状体であって上記シャフトの先端部分を囲んで軸線方向に移動自在に配置された把持部カバーと、遠隔操作によって上記把持部カバーを上記把持部材の後方から前方へ移動させることができるように上記操作部に配置されたカバー操作手段とが設けられて、
上記切れ目は上記把持部材の長さの略２倍の長さに形成され、上記操作部には、上記把持部材が上記把持部カバー内に収納された状態と上記把持部カバーの先端から突出した状態の二箇所の位置で上記カバー操作手段を弾力的に係止するクリック機構が設けられ、上記二箇所の位置の間の間隔が上記切れ目の長さと略等しく設定されていることを特徴とする内視鏡用把持鉗子。
【発明の詳細な説明】
【０００１】
【産業上の利用分野】
この発明は、内視鏡の鉗子チャンネルに挿通されて体腔内の異物等を把持、回収するための内視鏡用把持鉗子に関する。
【０００２】
【従来の技術】
内視鏡用把持鉗子は、一般に、内視鏡の鉗子チャンネルに挿通されるシャフトの先端に開閉自在に設けられた把持部材を、シャフトの基端側に設けられた操作部からの遠隔操作により開閉操作して、体腔内の異物等を把持、回収するようになっている。
【０００３】
【発明が解決しようとする課題】
しかし、例えば図７に示されるように、体腔内の狭窄部１００より先にある異物１０１を回収しようとすると、把持鉗子１０の先端に把持された異物１０１が狭窄部１００を通過する際に、落下したりちぎれてしまって、うまく回収することができない。図中、１は内視鏡である。
【０００４】
そこで本発明は、狭窄部より先にあるような異物等でも破損せずに容易に回収することのできる内視鏡用把持鉗子を提供することを目的とする。
【０００５】
【課題を解決するための手段】
上記の目的を達成するため、本発明の内視鏡用把持鉗子は、内視鏡の鉗子チャンネルに挿通されるシャフトの先端に開閉自在に設けられた把持部材を上記シャフトの基端側に設けられた操作部からの遠隔操作によって開閉操作するようにした内視鏡用把持鉗子において、先側に開口する複数の切れ目を有する筒状体であって上記シャフトの先端部分を囲んで軸線方向に移動自在に配置された把持部カバーと、遠隔操作によって上記把持部カバーを上記把持部材の後方から前方へ移動させることができるように上記操作部に配置されたカバー操作手段とを設けたことを特徴とする。
【０００６】
【実施例】
図面を参照して実施例を説明する。
図２は、本発明の第１の実施例の内視鏡用把持鉗子を示しており、例えば可撓性のある密着巻きのコイルパイプで形成されて内視鏡の鉗子チャンネル内に挿通可能なシャフト１１内に、操作ワイヤ１２が進退自在に挿通されていて、異物等を把持するための一対の把持部材１３が、操作ワイヤ１２の先端に連結されている。１４は、シャフト１１の先端に取り付けられた先端チップである。
【０００７】
この実施例においては、把持部材１３は板バネ材によって形成されていて、シャフト１１の先端から突出された状態では、自己のバネ性によって図２に示されるように開き、操作ワイヤ１２によって引っ張られると、シャフト１１内に引き込まれて、シャフト１１内ですぼまった形状に弾性変形する。
【０００８】
シャフト１１と操作ワイヤ１２の基端側は、操作部２０に連結されている。シャフト１１の基端は操作部本体２１に小ネジによって固定され、操作ワイヤ１２の基端は、操作部本体２１にスライド自在に取り付けられたスライダ２２に固定されている。
【０００９】
したがって、操作部本体２１に対してスライダ２２をスライド操作することによって、シャフト１１内で操作ワイヤ１２が軸線方向に進退し、把持部材１３がシャフト１１の先端から出入りして開閉される。このようにして、把持部材１３の開閉を遠隔操作することができる。
【００１０】
このように構成されたシャフト１１を囲んで、弾発性のある可撓性チューブからなる把持部カバー３０が軸線方向に進退自在に外装されている。把持部カバー３０は、例えばフッ素樹脂チューブによって形成されるが、ポリエチレン、ポリウレタン又はポリイミド等からなるチューブを用いてもよい。
【００１１】
把持部カバー３０の先端部分は、通常の状態では、図２に示されるようにシャフト１１の先端とほぼ一致する位置にある。そして、先側に開口する複数の切れ目３１が軸線方向に真っ直ぐに、例えば９０°間隔で４本形成されていて、把持部カバー３０の先端部分が切れ目３１によって４分割されている。切れ目３１の長さは、把持部材１３の長さの２倍程度に設定されている。
【００１２】
把持部カバー３０の基端は、操作部２０に進退自在に係合する操作筒３３に固着されている。その操作筒３３は、操作部本体２１に対して軸線方向に進退自在である。
【００１３】
そして、操作筒３３の開口端部の内周面に形成されたクリック突起３４が、操作部本体２１に間隔をあけて形成された第１と第２のクリック溝２４，２５に係合するようになっている。両クリック溝２４，２５間の間隔は、切れ目３１の長さと同程度に設定されている。
【００１４】
操作筒３３はプラスチックによって注射筒状に形成されているが、開口端部側から複数のスリット３４が軸線方向に形成されているので、クリック突起３４の部分は径が広がる方向に弾性変形することができ、クリック溝２４，２５に対して係脱することができる。
【００１５】
このような操作筒３３に連結された把持部カバー３０は、図３に示されるようにシャフト１１に対して着脱自在であり、図２に示されるようにクリック突起３４を第１のクリック溝２４に係合させた状態のときに、把持部カバー３０の先端がシャフト１１の先端部分に位置するように設定されている。
【００１６】
そして、操作部本体２１に対して操作筒３３を前方にスライドさせて、クリック突起３４を第２のクリック溝２５に係合させると、図１に示されるように、把持部カバー３０が前方へ移動して、把持部カバー３０の先端部分が把持部材１３の先端よりさらに前方まで移動する。
【００１７】
把持部カバー３０の先端部分が前方に移動する際に把持部材１３が開いていると、切れ目３１で複数に分割されている筒状の把持部カバー３０の先端部分が、内側の把持部材１３によって押し開かれる。
【００１８】
したがって、図１に示されるように、把持部材１３に異物１０１が把持された状態では、前方に移動させられて花びら状に開いた把持部カバー３０の先端部分内に、異物１０１が後方から囲まれる状態になる。
【００１９】
このように構成された内視鏡用把持鉗子は、図４に示されるように、内視鏡１の鉗子チャンネル２に挿通して使用され、体腔内の狭窄部１００より先にある異物１０１を把持部材１３で把持した後、把持部材１３と異物１０１を把持部カバー３０で後方から囲むことにより、異物１０１が落下したり破損したりすることなく狭窄部１００を通過させて回収することができる。
【００２０】
なお、本発明は上記実施例に限定されるものではなく、例えば切れ目３１は、把持部カバー３０の先端を４分割するものに限らず、複数に分割するものであれば何分割であってもよい。
【００２１】
また、把持部カバー３０の先端部分は、図５に示されるようにラッパの先状の形状に形成してもよく、そのように形成すると、側面に隙間がない状態に広げることができる。この場合、広げる前は、図６に示されるように折り畳んで、鉗子チャンネルに通せるようにする。
【００２２】
【発明の効果】
本発明によれば、先側に開口する複数の切れ目を有する筒状体からなる把持部カバーを把持部材の後方から前方へ移動させることによって、把持部材に把持された異物等を把持部カバー内に囲み込むことができるので、狭窄部より先にある異物等でも、狭窄部内を通過させて破損せずに容易に回収することができる。
【図面の簡単な説明】
【図１】第１の実施例の把持、回収状態の側面断面図である。
【図２】第１の実施例の側面断面図である。
【図３】第１の実施例の把持部カバーの側面断面図である。
【図４】第１の実施例の使用状態の略示図である。
【図５】第２の実施例の把持、回収状態の側面図である。
【図６】第２の実施例の側面図である。
【図７】従来例の使用状態の略示図である。
【符号の説明】
１１  シャフト
１２  操作ワイヤ
１３  把持部材
２０  操作部
２１  操作部本体
３０  把持部カバー
３１  切れ目
３３  操作筒
【図１】
0003665387.tif 000002
【図２】
0003665387.tif 000003
【図３】
0003665387.tif 000004
【図４】
0003665387.tif 000005
【図５】
0003665387.tif 000006
【図６】
0003665387.tif 000007
【図７】
0003665387.tif 000008